(57)【要約】【課題】変換ジャックを構成するケーブルからの信号線、基板、ジャック等の部品を組立式で形成したことにより、歩留まりをなくし、形状的に小型化を図ることができる変換ジャック及び変換ケーブルを提供する。【解決手段】変換ケーブルは、一方側が平型のプラグで、他方側が丸型の変換ジャックで構成され、互いにケーブルで接続されている変換ケーブルであって、前記変換ジャックは、信号線を埋設してなるケーブルと、プラグを挿入するプラグ挿入口を備え、内部に配設したコネクタに連設した信号端子を外部に引き出してなるジャックと、前記信号線を半田付けすると共に、前記信号端子を半田付けして前記ジャックに仮止め状態にされているプリント配線基板と、前記ケーブルと前記ジャックを所定間隔を持って支持する中枠支持体と、前記中枠支持体で支持されている前記ジャックに対して、前記プラグ挿入口側から差し込んで前記ジャック、前記プリント配線基板、前記中枠支持体、前記ケーブルの一部を梱包した状態にして組み立てる外筒と、を備えたことである。【選択図】  図１
2008235061.tif 000002
【特許請求の範囲】
【請求項１】
プラグが差し込まれる変換ジャックであって、
信号線を埋設してなるケーブルと、
プラグが挿入されるプラグ挿入口を備え、内部に配設したコンタクトに連設されている信号端子を外部に引き出してなるジャックと、
前記信号線を半田付けすると共に、前記信号端子を半田付けして前記ジャックに仮止め状態にされているプリント配線基板とを、
中枠支持体によって所定間隔を持って支持し、前記プラグ挿入口側から差し込む外筒によって、前記ジャック、前記プリント配線基板、前記中枠支持体、前記ケーブルの一部を梱包した状態に組み立てたことを特徴とする変換ジャック。
【請求項２】
一方側が平型のプラグで、他方側が丸型の変換ジャックで構成され、互いにケーブルで接続されている変換ケーブルであって、
前記変換ジャックは、
信号線を埋設してなるケーブルと、
プラグが挿入されるプラグ挿入口を備え、内部に配設したコネクタに連設されている信号端子を外部に引き出してなるジャックと、
前記信号線を半田付けすると共に、前記信号端子を半田付けして前記ジャックに仮止め状態にされているプリント配線基板とを、
中枠支持体によって所定間隔を持って支持し、前記プラグ挿入口側から差し込む外筒によって、前記ジャック、前記プリント配線基板、前記中枠支持体、前記ケーブルの一部を梱包した状態にして組み立てたことを特徴とする変換ケーブル。
【発明の詳細な説明】
【技術分野】
【０００１】
本発明は、変換ジャック及び変換ケーブルに関し、詳しくは従来一体成形で形成されているジャック部分を組立式に変更することで歩留まり、小型化を図ることができるようになった変換ジャック及び変換ケーブルに関する。
【背景技術】
【０００２】
従来技術における変換ケーブルを利用する場合には、図４に示すように、ＭＤプレーヤ、ＣＤプレーヤ、ＭＰ３プレーヤ等のポータブルオーディオ装置１１１に取付けられているジャックが平型ジャック１１２であり、イヤホンに取付けられているプラグがいわゆる丸型のプラグであるときには、直接にポータブルオーディオ装置１１１に装着することができない。そのため、ポータブルオーディオ装置１１１の平型ジャック１１２に対応した平型プラグを備えた変換ケーブル１１３を利用することで丸型のプラグを有するイヤホンであっても使用することが可能となる。
【０００３】
変換ケーブル１１３は、一方側が平型プラグ１１５で形成され、ケーブル１１９で接続された他方側が丸型の変換ジャック１１４で形成されている。  
【０００４】
イヤホン側は変換ジャック１１４に差し込むリモートプラグ１１６を備え、信号線１１７を介在させてリモートコントロール装置１１８に接続され、更に、このリモートコントロール装置１１８にステレオプラグ１１８ａを差し込むようになっており、ステレオプラグ１１８ａは信号線１１８ｂを介在させて左右のイヤホン１１８ｃに接続されている。
【０００５】
この変換ケーブル１１３を構成する変換ジャック１１４を作成するためには、極細い信号線を基板の半田付けランド部に半田付けし、その部分を一次成形して基板の半田付けランド部に半田付けされている信号線等を保護し、次に二次成形をしてジャック全体の外観を整えるようにしている。
【０００６】
図５は基板と信号線の接続状態、基板とジャックとの接続状態を示すもので、基板１１７に略平行に４つの半田ランド部１１８ａ、１１８ｂ、１１８ｃ、１１８ｄを設け、それぞれがケーブル１１９からの信号線１１６ａ、１１６ｂ、１１６ｃ、１１６ｄの先端部と半田付けにより接続されている。又、ジャック１２０側に配設されている左側信号線のＬ端子１２１、右側信号線のＲ端子１２２、接地信号線のＧ端子１２３のそれぞれがジャック半田ランド部１２４ａ、１２４ｂ、１２４ｃにて半田付けされ、基板１１７を仮止めした状態にする。
【０００７】
このように、信号線１１６ａ、１１６ｂ、１１６ｃ、１１６ｄを半田ランド部１１８ａ、１１８ｂ、１１８ｃ、１１８ｄに半田付けし、ジャック１２０の端子（Ｌ端子、Ｒ端子、Ｇ端子）もジャック半田ランド部１２４ａ、１２４ｂ、１２４ｃに半田付けした後に、図６に示すように、半田付けした部位が緊張状態になっても容易に信号線１１６ａ、１１６ｂ、１１６ｃ、１１６ｄが外れないようにするため、または基板１１７を所定位置に固定するために、ケーブル１１９を含み且つジャック１２０の後端部を含んだ状態で樹脂による一次成形１２５を行う。
一次成形１２５されると、その成形された、基板１１７、ケーブル１１９の一端部を含む信号線１１６ａ、１１６ｂ、１１６ｃ、１１６ｄ、ジャック１２０の後端部を含んで樹脂による一体成形が施される。
【０００８】
次に、この一次成形がされた変換ケーブルの変換ジャックは、図７に示すように、その一次成形をした部位を含むようにして且つさらにケーブル１１９を含み、ジャック１２０の全てを網羅するように二次成形１２６が施される。
この二次成形は、手動で、一次成形された部品一つ、一つを位置合わせしながら樹脂により成形される。
このようにして変換ケーブルの変換ジャックが完成する。
【特許文献１】特開２００６−３３９５３５号公報（第４頁〜５頁  第１図）
【発明の開示】
【発明が解決しようとする課題】
【０００９】
しかし、従来技術で説明した、変換ケーブルの変換ジャックを作成するにあたり、成形する際に種々の問題が生じている。
先ず、一次成形においては、基板を含む、半田した部位を樹脂で成形することで外圧に耐える構造となるが、成形時において樹脂を射出する際に圧力がかかり、信号線の接続部位に悪影響を与え、最悪信号線の寸断等の問題が生じる。
二次成形においては、手動で成形するために、外観が損なわれ歩留まりが悪くなるという問題がある。
従って、基板に接続された信号線の半田付けが破損せず且つ変換ジャックの外観を損なわないような変換ジャック及び変換ケーブルの作成に解決しなければならない課題を有する。
【課題を解決するための手段】
【００１０】
上記課題を解決するために、本願発明の変換ジャック及び変換ケーブルは、次に示す構成にした。
【００１１】
（１）変換ジャックは、プラグが差し込まれる変換ジャックであって、信号線を埋設してなるケーブルと、プラグが挿入されるプラグ挿入口を備え、内部に配設したコンタクトに連設されている信号端子を外部に引き出してなるジャックと、前記信号線を半田付けすると共に、前記信号端子を半田付けして前記ジャックに仮止め状態にされているプリント配線基板とを、中枠支持体によって所定間隔を持って支持し、前記プラグ挿入口側から差し込む外筒によって、前記ジャック、前記プリント配線基板、前記中枠支持体、前記ケーブルの一部を梱包した状態に組み立てたことである。
【００１２】
（２）変換ケーブルは、一方側が平型のプラグで、他方側が丸型の変換ジャックで構成され、互いにケーブルで接続されている変換ケーブルであって、前記変換ジャックは、信号線を埋設してなるケーブルと、プラグが挿入されるプラグ挿入口を備え、内部に配設したコネクタに連設されている信号端子を外部に引き出してなるジャックと、前記信号線を半田付けすると共に、前記信号端子を半田付けして前記ジャックに仮止め状態にされているプリント配線基板とを、中枠支持体によって所定間隔を持って支持し、前記プラグ挿入口側から差し込む外筒によって、前記ジャック、前記プリント配線基板、前記中枠支持体、前記ケーブルの一部を梱包した状態にして組み立てたことである。
【発明の効果】
【００１３】
本提案によれば、従来技術で説明した変換ケーブルの変換ジャックを一体成形したのに対して、信号線、基板、ジャックを中枠支持体、外筒を用いて組立式で形成したことにより、歩留まりを良くし、形状的に小型化を図ることができるという効果がある。
【発明を実施するための最良の形態】
【００１４】
次に、本願発明に係る変換ジャック及び変換ケーブルの実施形態について、図面を参照して以下説明する。
【実施例１】
【００１５】
本願発明の変換ケーブルは、従来技術で説明したものと同様に、図１に示すように、ＭＤプレーヤ、ＣＤプレーヤ、ＭＰ３プレーヤ等のポータブルオーディオ装置１１に装着されている平型ジャック１２に接続するものでイヤホン或いはヘッドホンが丸型のプラグ仕様である場合に、このプラグを変換ケーブル１３の変換ジャック１４に差し込み、他端の平型プラグ１５を平型ジャック１２に差し込むことにより、イヤホン或いはヘッドホンが丸型のプラグ仕様の構成であっても、この変換ケーブル１３を介在させることにより装置１１の平型ジャック１２に対応させることができる。
【００１６】
イヤホン側は変換ジャック１４に差し込むリモートプラグ１６を備え、信号線１７を介在させてリモートコントロール装置１８に接続され、更に、このリモートコントロール装置１８にステレオプラグ１８ａを差し込むようになっており、ステレオプラグ１８ａは信号線１８ｂを介在させて左右のイヤホン１８ｃに接続されている。
【００１７】
変換ケーブル１３は、図２に示すように、一端側に１０極に対応した平型のプラグ１５を備え、ケーブル１９を介在させて、他端に本願発明の組立式のジャックからなる変換ジャック１４を備えた構成になっている。
【００１８】
変換ジャック１４は、図３に示すように、いわゆる組み立てて構成されており、信号線（Ｇ信号線、Ｒ信号線、Ｌ信号線）を埋設してなるケーブル１９と、プラグを挿入するプラグ挿入口２１を備え、内部に配設したコンタクトに連設した信号端子（Ｇ端子、Ｒ端子、Ｌ端子）を外部に引き出してなるジャック２８と、信号線を半田付けすると共に、信号端子を半田付けしてジャック２８に仮止め状態にされているプリント配線基板２９と、ケーブル１９とジャック２８を所定間隔を持って支持する一対の中枠支持体３１と、中枠支持体３１で支持されているジャック２８に対して、プラグ挿入口２１側から差し込んでジャック２８、プリント配線基板２９、中枠支持体３１、ケーブル１９の一部を梱包した状態にして組み立てる外筒３２と、を備えた構成になっている。
【００１９】
ジャック２８は、直方体形状に形成され、その前端部にプラグを挿入するためのプラグ挿入口２１を備え、後端部には図示しない内部に配設されているコンタクトに連設されているＧ端子２５、Ｒ端子２６、Ｌ端子２７を導出させ、上端部には中枠支持体３１の係合孔３８に係合する係合凸部３３を２個設け、側面には外筒３２のガイド溝４０に係合して外筒３２の挿入方向をガイドする2連状に形成したガイド片３９を設け、下端部には上端部に設けた係合凸部３３と同じく中枠支持体３１の係合孔３８に係合する係合凸部３３を２個設けた構造となっている。
【００２０】
外筒３２は、筒形状に形成され、内部に筒穴に沿って平行なリブ４０ａ、４０ｂを線条に立設して得られたガイド溝４０を互いに対向する位置に設け、外部においては２連の手摺凸部を備え、この手摺凸部の間に係止ピン２０を挿通させる四角形状に切り欠いた第１係止ピン挿入孔３４を備え、この第１係止ピン挿入孔３４と対向する位置に係止ピン２０を貫通させる円形状に切り欠いた第２係止ピン挿入孔３５を備えた構成になっている。
【００２１】
中枠支持体３１は、外筒３２の内径に合わせ、端部から所定幅を約半円筒状に形成した第１支持体３０ａ、この第１支持体３０ａと連設した所定幅を略四分の一筒状に形成した第２支持体３０ｂ、この第２支持体３０ｂに連設した所定幅を略八分の一筒状に形成した第３支持体３０ｃからなる。
第１支持体３０ａの短縁には外方向に突設させた鍔部３６を設け、内側端部にはケーブル１９の係合支持部４９に片持ち係合する片持ち溝３０ｄを設けた構造となっている。
第２支持体３０ｂの中央位置には係止ピン２０を係合させるための表面側が四角形状にくり貫き、内部が円形状にくり貫いたピン挿入孔３７を備え、第３支持体３０ｃの長手方向に沿った位置にはジャック２８の係合凸部３３に係合する２つの係合孔３８を備えた構成になっている。
【００２２】
プリント配線基板２９は、四角平板形状に形成され、裏面に回路素子が搭載され、表面にケーブル１９からのＧ信号線２２と半田付けするＧ信号ランド部４１、Ｌ信号線２３と半田付けするＬ信号ランド部４２、Ｒ信号線２４と半田付けするＲ信号ランド部４３を一方端部側に備え、他方端部側にジャック２８からのＧ端子２５と半田付けするＧ端子ランド部４４、Ｌ端子２６と半田付けするＬ端子ランド部４５、Ｒ端子２７と半田付けするＲ端子ランド部４６を備え、略中央位置に係止ピン２０を貫通させるためのピン貫通孔４７を備えた構成になっている。
【００２３】
ケーブル１９は樹脂で一体成形されており、内部に３本の信号線（Ｇ信号線２２、Ｌ信号線２３、Ｒ信号線２４）が埋設されており、端部に樹脂で階段状に序々に径が大きくなるような円盤状に形成したケーブル緩衝部４８を備え、このケーブル緩衝部４８の端部に２つの中枠支持体３１を上下で片持ち係合する係合支持部４９を備え、３本の信号線（Ｇ信号線２２、Ｌ信号線２３、Ｒ信号線２４）を係合支持部４９の中央位置から所定寸法だけ取り出した構成になっている。
【００２４】
このような構成からなる各部品をプリント配線基板に半田付け等して組み立てることで変換ジャックが完成する。
先ず、プリント配線基板２９のＧ端子ランド部４４にＧ端子２５を、Ｌ端子ランド部４５にＬ端子２６を、Ｒ端子ランド部４６にＲ端子２７をそれぞれ半田付けして基板ごとジャックに取り付け、半固定した状態にする。
【００２５】
次に、基板２９のＧ信号ランド部４１にＧ信号線２２を、Ｌ信号ランド部４２にＬ信号線２３を、Ｒ信号ランド部４３にＲ信号線２４をそれぞれ半田付けする。このようにして基板２９を取付けたジャック２８及びケーブル１９に対して、上方向と下方向から中枠支持体３１を鍔部３６の内側の片持ち溝３０ｄをケーブル１９の係合支持部４９に片持ち状態で係合させ、中枠支持体３１の係合孔３８をジャック２８の係合凸部３３に係合させることで、ケーブル１９とジャック２８が所定間隔を持って支持された状態で仮止される。この状態でジャック２８のプラグ挿入口２１側から外筒３２を差込み、ガイド溝４０をジャック２８のガイド片３９にガイドさせて押し込み、中枠支持体３１の鍔部３６にガイド溝４０を係合させてガイド緩衝部４８に当接されるまで押し込む。
【００２６】
次に、係止ピン２０を外筒３２の第１係止ピン挿入孔３４に差し込むと、そのピン２０は中枠支持体３１のピン挿入孔３７を貫通し、更にプリント配線基板２９のピン貫通孔４７を貫通し、さらに、下側に設けた中枠支持体３１のピン挿入孔３７を貫通させ、最後に外筒３２の第２係止ピン挿入孔３５に到達する。このときに係止ピン２０の四角形状に形成された頭部がやはり四角形状に形成された第１係止ピン挿入孔３４に嵌合し、係止ピン２０の基部側の膨らみ形状で係止ピン自体の抜けを防止すると共に四角形状に形成された頭部が外筒３２の面に面一となる。
【００２７】
このようにして完成された変換ジャックは、先ず外筒は予め樹脂で作成されているものを使用するため、変換ジャックの外観を損なうことはなくなる。更に半田付けした信号線に対して中枠支持体でケーブルとジャックとの間隔を維持させた状態で外筒を組み立てるために、半田付けした信号線への負担は皆無に近く、従って作成中に断線するといった不具合もなくなる。
【産業上の利用可能性】
【００２８】
変換ジャックを構成するケーブルからの信号線、基板、ジャック等の部品を組立式で形成したことにより、歩留まりをなくし、形状的に小型化を図ることができる変換ジャック及び変換ケーブルを提供する。
【図面の簡単な説明】
【００２９】
【図１】本願発明に係る変換ケーブルを利用したイヤホンと装置との接続形態を示す斜視図である。
【図２】同、変換ケーブルの斜視図である。
【図３】同、変換ケーブルの変換ジャックの構成を示した斜視図である。
【図４】従来技術における変換ケーブルを利用したイヤホンと装置との接続形態を示す斜視図である。
【図５】従来技術における変換ジャックの接続形態を示す説明図である。
【図６】従来技術における変換ジャックに一次成形を施した様子を示す説明図である。
【図７】従来技術における変換ジャックに二次成形を施した様子を示す説明図である。
【符号の説明】
【００３０】
１１      ポータブルオーディオ装置
１２      平型ジャック
１３      変換ケーブル
１４      変換ジャック
１５      平型プラグ
１６      リモートプラグ
１７      信号線
１８      リモートコントロール装置
１８ａ    ステレオプラグ
１８ｂ    信号線
１８ｃ    イヤホン
１９      ケーブル
２１      プラグ挿入口
２２      Ｇ信号線
２３      Ｌ信号線
２４      Ｒ信号線
２５      Ｇ端子
２６      Ｌ端子
２７      Ｒ端子
２８      ジャック
２９      プリント配線板
３０ａ    第１支持体
３０ｂ    第２支持体
３０ｃ    第３支持体
３０ｄ    片持ち溝
３１      中枠支持体
３２      外筒
３３      係合凸部
３４      第１係止ピン挿入孔
３５      第２係止ピン挿入孔
３６      鍔部
３７      ピン挿入孔
３８      係合孔
３９      ガイド片
４１      Ｇ信号ランド部
４２      Ｌ信号ランド部
４３      Ｒ信号ランド部
４４      Ｇ端子ランド部
４５      Ｌ端子ランド部
４６      Ｒ端子ランド部
４７      ピン貫通孔
４８      ケーブル緩衝部
４９      係合支持部。
【図１】
2008235061.tif 000003
【図２】
2008235061.tif 000004
【図３】
2008235061.tif 000005
【図４】
2008235061.tif 000006
【図５】
2008235061.tif 000007
【図６】
2008235061.tif 000008
【図７】
2008235061.tif 000009